(57)【要約】【課題】製造工程における金属配管の溶接を作業者の熟練度によらず、工程の簡素化、品質向上を図ることができる金属配管の抵抗溶接装置を提供することを目的とする。【解決手段】抵抗溶接装置である抵抗溶接機３００は、製造工程で円筒状の金属配管のフランジ部どうしを抵抗溶接で溶接する際、抵抗溶接機３００の電極Ａ３０４を備えたクランプ部３０２は、支軸３０６を支点として回動可能な半円状に分割した可動部材３０７、３０８を備えているので、溶接工程作業をスムーズに行うことができるとともに、抵抗溶接の際の溶接機電極部が円筒配管溶接部をより確実に安定して保持することができる。【選択図】図９
2015150591.tif 000002
【特許請求の範囲】
【請求項１】
円筒配管同士を溶接する溶接装置において、前記円筒配管の端部はそれぞれ面接触するフランジ部を有し、前記フランジ部と対向配置して抵抗溶接の電極部を備えた金属配管の抵抗溶接装置。
【請求項２】
前記電極部は可動部を備え、前記可動部により前記電極部を前記円筒配管の外周に環状に配置して所定の電流を流し、前記金属配管を溶接することを特徴とする請求項１に記載の金属配管の抵抗溶接装置。
【請求項３】
前記電極部は一対備え、前記フランジ部を押圧しながら所定の電流を流し、前記金属配管を溶接することを特徴とする請求項１に記載の金属配管の抵抗溶接装置。
【発明の詳細な説明】
【技術分野】
【０００１】
本発明は、金属配管を溶接する際に溶接部に電流を流し、その発熱により金属配管を溶接する溶接装置に関するものである。
【背景技術】
【０００２】
従来より、冷蔵庫等の冷却機器の冷凍サイクルを構成する金属配管、例えば銅管を接続する場合、ロウ付け作業で行われている。ロウ付け作業は、火炎トーチで溶接部を加熱し、銅ロウあるいは銀ロウ等を用いて行うため、ロウ付け作業者の熟練が必要となり、製造工程において、工程品質は、ロウ付け作業者の熟練度に委ねられている。（例えば、特許文献１参照）
【先行技術文献】
【特許文献】
【０００３】
【特許文献１】特開昭６１−４９９７４号公報
【発明の概要】
【発明が解決しようとする課題】
【０００４】
しかしながら、冷蔵庫等の冷却機器の冷凍サイクルを構成する金属配管の溶接では、製造工程において、ロウ付け作業者の熟練が必要となり、ロウ付け作業者の熟練度に工程品質は左右されるという課題を有していた。
【０００５】
本発明は上記従来の課題を解決するものであり、製造工程における金属配管の溶接を作業者の熟練度によらず、工程の簡素化、品質向上を図ることができる金属配管の抵抗溶接装置を提供することを目的とする。
【課題を解決するための手段】
【０００６】
上記従来の課題を解決するために、本発明の金属配管の抵抗溶接装置は、円筒配管どうしを溶接する溶接装置において、前記円筒配管の端部はそれぞれ面接触するフランジ部を有し、前記フランジ部と対向配置して抵抗溶接の電極部を備えたものである。
【０００７】
これによって、従来のようにロウ付け作業者の熟練度に工程品質は左右されることなく、円筒配管を溶接することができるとともに、抵抗溶接の際の溶接機電極部が円筒配管溶接部を安定して保持することができ、確実に溶接することができる。
【発明の効果】
【０００８】
本発明の金属配管の抵抗溶接装置は、抵抗溶接の際の溶接機電極部が円筒配管溶接部を安定して保持することができ、確実に溶接することができるので、金属配管の溶接信頼性を高めることができる。
【図面の簡単な説明】
【０００９】
【図１】本発明の実施の形態１における冷却機器（冷蔵庫）の縦断面図
【図２】同実施の形態における冷却機器（冷蔵庫）の機械室概略図
【図３】同実施の形態における冷却機器（冷蔵庫）の機械室の斜視図
【図４】同実施の形態１における冷凍装置を構成する冷凍サイクルの抵抗溶接を用いて溶接する金属配管の断面図
【図５】同実施の形態１における冷凍装置を構成する冷凍サイクルの抵抗溶接を用いて溶接する他の金属配管の断面図
【図６】同実施の形態１における冷凍装置を構成する冷凍サイクルの抵抗溶接を用いて溶接する他の金属配管の断面図
【図７】同実施の形態１における冷凍装置を構成する冷凍サイクルの抵抗溶接を用いて溶接する他の金属配管の断面図
【図８】同実施の形態１における冷凍装置を構成する冷凍サイクルの抵抗溶接を用いて溶接する他の金属配管の断面図
【図９】（ａ）同実施の形態１における冷凍装置を構成する冷凍サイクルの金属配管を溶接する抵抗溶接機の概要図、（ｂ）同実施の形態１における冷凍装置を構成する冷凍サイクルの金属配管を溶接する抵抗溶接機の要部概要図
【図１０】（ａ）同実施の形態１における冷凍装置を構成する冷凍サイクルの金属配管に抵抗溶接機の電極部を配置する前の概要図、（ｂ）同実施の形態１における冷凍装置を構成する冷凍サイクルの金属配管に抵抗溶接機の電極部を配置した後の概要図
【発明を実施するための形態】
【００１０】
請求項１に記載の発明は、円筒配管同士を溶接する溶接装置において、前記円筒配管の端部はそれぞれ面接触するフランジ部を有し、前記フランジ部と対向配置して抵抗溶接の電極部を備えたことにより、従来のようにロウ付け作業者の熟練度に工程品質は左右されることなく、円筒配管を溶接することができるとともに、抵抗溶接の際の溶接機電極部が円筒配管溶接部を安定して保持することができ、確実に溶接することができ、金属配管の溶接信頼性を高めることができる。
【００１１】
請求項２に記載の発明は、請求項１に記載の発明において、前記電極部は可動部を備え、前記可動部により前記電極部を前記円筒配管の外周に環状に配置して所定の電流を流し、前記金属配管を溶接することにより、抵抗溶接の際の溶接機電極部が円筒配管溶接部をより確実に安定して保持することができる。
【００１２】
請求項３に記載の発明は、請求項１または２に記載の発明において、前記電極部は一対備え、前記フランジ部を押圧しながら所定の電流を流し、前記金属配管を溶接することにより、金属配管の溶接信頼性を、より高めることができる。
【００１３】
以下、本発明の実施の形態について、図面を参照しながら説明する。なお、この実施の形態によってこの発明が限定されるものではない。
【００１４】
（実施の形態１）
図１は、本発明の実施の形態１における冷却機器（冷蔵庫）の縦断面図、図２は同実施の形態における冷却機器（冷蔵庫）の機械室概略図、図３は同実施の形態における冷却機器（冷蔵庫）の機械室の斜視図、図４は、同実施の形態１における冷凍装置を構成する冷凍サイクルの抵抗溶接を用いて溶接する金属配管の断面図、図５から図８は、同実施の形態１における冷凍装置を構成する冷凍サイクルの抵抗溶接を用いて溶接する他の金属配管の断面図、図９（ａ）は、同実施の形態１における冷凍装置を構成する冷凍サイクルの金属配管を溶接する抵抗溶接機の概要図、図９（ｂ）は、同実施の形態１における冷凍装置を構成する冷凍サイクルの金属配管を溶接する抵抗溶接機の要部概要図、図１０（ａ）は、同実施の形態１における冷凍装置を構成する冷凍サイクルの金属配管に抵抗溶接機の電極部を配置する前の概要図、図１０（ｂ）は、同実施の形態１における冷凍装置を構成する冷凍サイクルの金属配管に抵抗溶接機の電極部を配置した後の概要図である。
【００１５】
図１から図３において、冷蔵庫本体３０は複数の断熱区画に区分されている断熱箱体３１と各断熱区画に設けられた扉にて構成されている。断熱箱体３１はＡＢＳなどの樹脂体を真空成型した内箱３２とプリコート鋼板などの金属材料を用いた外箱３３とで構成された空間に発泡断熱材３４を注入してなる断熱壁を備えている。発泡断熱材３４はたとえば
硬質ウレタンフォームやフェノールフォームやスチレンフォームなどが用いられる。発泡材としてはハイドロカーボン系のシクロペンタンを用いると、温暖化防止の観点でさらによい。
【００１６】
断熱箱体３１は、複数の貯蔵室を形成し、上から冷蔵室４０、製氷室４１、野菜室４２と冷凍室４３の構成となっている。各断熱区画の前面開口にはそれぞれ断熱扉が図示しないガスケットを介して設けられている。上から冷蔵室扉４０ａ、製氷室扉４１ａ、野菜室扉４２ａ、冷凍室扉４３ａである。なお、製氷室４１は断熱箱体３１の全幅で構成せず、隣室を図示しない仕切り壁で区画した貯蔵室を形成しても構わない。
【００１７】
断熱箱体３１は、天面後方部を一段低い段差状に窪ませた凹部５０を形成し、断熱箱体３１の上方及び背方を開口している。凹部５０は機械室５１として圧縮機５２と放熱ファン５３と凝縮器の一部を圧縮機５２の吐出側と直接接続される予冷の配管となる予冷凝縮器５４を収納し、その位置を機械室５１の左右方向の端から圧縮機５２、放熱ファン５３、予冷凝縮器５４と配置している。放熱ファン５３を挟んで圧縮機５２を収容する第１の区画９１ａを吐出区画９１ｂとし、予冷凝縮器５４を収容する第２の区画９２ａを吸込区画９２ｂとして区画形成している。放熱ファン５３は、圧縮機５２と予冷凝縮器５４との中間位置即ち機械室５１の幅方向の中間位置に配置されており、上流側が吸込区画９２ｂ、下流側が吐出区画９１ｂとし圧縮機５２に風を当てるような流れで循環するよう構成されている。また、予冷凝縮器５４に続く凝縮器配管が断熱箱体３１の外箱３３内面に熱伝導的に配設されている。
【００１８】
次に、凹部５０内の構成について説明する。
【００１９】
凹部５０は断熱箱体３１の外郭である外箱３３の天面後方を切り欠いて、その切り欠いた箇所に、前壁と左右両側壁と圧縮機５２や放熱ファン５３を載置するための底面とを一体で成形した樹脂部品５６を断熱箱体３１の後方からはめ込むように形成されている。なお、切り欠いて形成された凹部５０は強度が弱くなるため、周辺には図示しない補強手段を設けることが一般的である。補強手段としては、特に凹部５０の底面と側面の合わせ箇所に傾斜部５７を設けて底面と側面を繋いだり、側面と外箱３３との間の左右両側に発泡断熱材３４を注入すると効果は大きい。
【００２０】
また、凹部５０には機械室カバーが設けられ、内部の圧縮機５２や放熱ファン５３予冷凝縮器５４を覆うように構成される。機械室カバーには機械室５１内外に空気を行き来させるための開口部が設けられている。
【００２１】
また、放熱ファン５３はファンカバー９０の中にポリウレタンフォームなどの柔らかい緩衝部材（図示せず）を介して挿入固定され、このファンカバー９０は、樹脂部品５６が圧縮機５２の設置底面に略垂直になるよう配置構成される。すなわち、放熱ファン５３を機械室５１の下方側へ設置し、圧縮機５２の中心位置よりも放熱ファン５３の中心位置を低く位置させている。また、ファンカバー９０の外周にはポリウレタンフォームなどの柔らかいシール部材９３を介して、ファンカバー９０と樹脂部品５６及び機械室カバー６２とを密着させるよう構成している。
【００２２】
このような構成によって、放熱ファン５３の吐出側と吸込側を確実にシールして区画し、吐出側の区画である吐出区画９１ｂと吸込側の区画である吸込区画９２ｂを機械室５１に構成する。ここでは圧縮機５２が吐出区画９１ｂに位置することになる。
【００２３】
また、機械室カバー６２に設けられた開口部は、機械室５１内の吸込区画９２ｂに位置し、冷蔵庫本体３０周辺の空気を機械室５１の中に吸い込むために利用される。一方、機
械室５１内の吐出区画９１ｂに位置する開口部は、圧縮機５２で放熱された空気を機械室５１の外へ排熱するために利用される。
【００２４】
断熱箱体３１の底面部には、その前方に冷凍サイクルの凝縮器１００を、後方には蒸発器１０１で除霜された水を貯留するための蒸発皿１０２を配置構成している。両部品とも冷蔵庫本体３０の内容積向上のため、高さを抑え小型で高効率なものを採用している。凝縮器１００は代表的なものとしてスパラルフィンチューブ方式があり、外箱３３の内側に熱伝達よく貼り付けられた配管や、各室断熱扉体間の仕切りに配設して防滴防止を行うための配管を組み合わせてもよい。なお、断熱箱体３１の底面部の空気を循環させるための図示しないファンを設置することで、凝縮器１００の能力、結露の防止はより効果がでる。
【００２５】
そして、機械室５１内の冷凍サイクルを構成する金属配管２００は、板厚０．２〜０．５ｍｍ程度の銅管が用いられ、製造工程で溶接される。従来、金属配管の溶接は、ロウ付け作業で行われるが、本実施の形態では、抵抗溶接を用いて行われる。
【００２６】
抵抗溶接とは、溶接部に電極を当てて加圧しながら強い電流（数十アンペアから数万アンペア）を短時間（数ミリ秒から数百ミリ秒）流し、金属の抵抗発熱を利用して合金層を形成して溶融接合するもので、ロウ材やフラックスなどの補助材料を使わずリサイクルしやすいクリーンな接合ができる点、また、スパッタ、紫外線などの発生はほとんどなく作業環境もクリーンな点、さらに、アーク溶接、ガス溶接などと比べ作業者の熟練を必要としない点などの利点を有している。
【００２７】
しかしながら、溶接部に電極を当てて加圧しながら強い電流を流すため、平板どうしを溶接する場合は適しているが、冷凍サイクルを構成する金属配管どうしを溶接する場合、肉厚が０．２〜０．５ｍｍと薄く、直管の状態では加圧により配管自体が変形してしまうという課題が存在する。
【００２８】
本実施の形態では、加圧による配管自体の変形を抑えながら、薄肉配管どうしを抵抗溶接を用いて確実に行うために、図４から図８に示すように、予備加工を施した金属配管を用いて抵抗溶接を行うことを技術的特徴とするものである。
【００２９】
すなわち、図４に示すように、円筒状の銅配管である金属配管２００、２０２の端部はそれぞれ面接触するためのフランジ部２０１、２０３を全周にわたって有し、フランジ部２０１とフランジ部２０３を対向配置して抵抗溶接機３００を用いて溶接するものである。
【００３０】
金属配管２００、２０２の端部のフランジ部２０１、２０３は、フレア加工等で予備加工を施したもので、フランジ部２０１、２０３の出代寸法Ｈは金属配管２００、２０２の肉厚より大きく設定している。
【００３１】
具体的には、図９（ａ）、（ｂ）に示すように、溶接部２０４はフランジ部２０１とフランジ部２０３を対向配置し、抵抗溶接機３００の電極Ａ３０４を備えたクランプ部３０２と、電極Ｂ３０５を備えたクランプ部３０３とで挟み込み、加圧しながら、電源３０１から電極Ａ３０４と電極Ｂ３０５との間に電流が供給される。これにより、溶接部２０４は、抵抗発熱の発生により溶融状態となり合金層を形成し溶融接合される。
【００３２】
このとき、フランジ部２０１と２０３は全周にわたって、それぞれ面接触しているので、供給される電流も均一にフランジ部２０１、２０３間に流れ、抵抗発熱の発生も均一に行われる。したがって、フランジ部２０１、２０３での合金層の形成も均一に生成され、
確実な抵抗溶接が可能となる。
【００３３】
なお、金属配管２００、２０２は、それぞれ銅管としてもよいし、一方を銅管とし、他方を鉄管としてもよい。鉄管は、銅管に比べ低コスト化を図ることができるメリットがある。鉄管と銅管の溶接は、一般的に銀ロウを用いたロウ付け作業で行われるため、トータルのコストメリットが小さくなるという課題を有していたが、本実施の形態のように、抵抗溶接を用いることで、銀ロウなどの補助材料を使わず低コストでクリーンな接合ができる点や、ガス溶接などと比べ作業者の熟練を必要とせず、確実に溶接することができるという作用効果を有し、金属配管の溶接信頼性を高めることができる。
【００３４】
また、フランジ部２０１、２０３の出代寸法Ｈは、円筒状の金属配管の肉厚（０．２〜０．５ｍｍ）より大きく、円筒状の金属配管の内径より小さく設定している。
【００３５】
フランジ部２０１、２０３の寸法は、抵抗溶接機３００の電極Ａ３０４を備えたクランプ部３０２と電極Ｂ３０５を備えたクランプ部３０３とで確実に挟み込み可能な点、フランジ部２０１、２０３のフレア加工等の予備加工性、フランジ部２０１、２０３での合金層の均一形成性、などの技術要素から上記の寸法を設定したものである。
【００３６】
さらに、図１０（ａ）、（ｂ）に示すように、製造工程で円筒状の金属配管のフランジ部どうしを抵抗溶接で溶接する際、抵抗溶接機３００の電極Ａ３０４を備えたクランプ部３０２は、支軸３０６を支点として回動可能な半円状に分割した可動部材３０７、３０８を備えている。
【００３７】
なお、電極Ｂ３０５を備えたクランプ部３０３も同様に、支軸３０９を支点として回動可能な半円状に分割した可動部材３１０、３１１を備えている。
【００３８】
そして、抵抗溶接機３００で溶接する際、図１０（ａ）に示すように、支軸３０６、３０９を支点として可動部材３０７、３０８、および可動部材３１０、３１１を開放した状態で金属配管２００、２０２に移動し、その後、金属配管２００、２０２を可動部材３０７、３０８、および可動部材３１０、３１１の内面の中空部で挟み込みながら、クランプ部３０２とクランプ部３０３を近づける方向に加圧する。
【００３９】
なお、可動部材３０７、３０８、および可動部材３１０、３１１の内面の中空部の寸法は、対象とする金属配管２００、２０２の外径に合わせて形成されるが、兼用化の観点から、内面中空部の寸法を可変式としてもよい。
【００４０】
また、本実施の形態では、支軸３０６、３０９を支点として回動可能なもので説明したが、金属配管２００、２０２を外側から挟み込み可能な構造であれば、クランプ部が並行に可動するものでもよい。
【００４１】
また、溶接部に電極を当てて加圧する圧力と、電流値、電圧値、通電時間等は、それぞれ対象となる金属配管２００、２０２の材料、フランジ部２０１、２０３の寸法等により実験的に最適値の幅が設定される。特に冷凍サイクルを構成する金属配管では、内部の冷媒や用途（低温用〜高温用）により異なるが、１Ｍ？以上になる場合も多々あり、溶接の信頼性が冷凍・冷却機能の信頼性に直結する点から、重要な要素となる。
【００４２】
本実施の形態では、円筒配管（金属配管２００、２０２）同士を溶接するものにおいて、円筒配管の端部はそれぞれ面接触するフランジ部２０１、２０３を有し、フランジ部２０１、２０３を対向配置したことにより、従来のようにロウ付け作業者の熟練度に工程品質は左右されることなく、円筒配管を溶接することができるとともに、抵抗溶接の際の溶
接機電極部が円筒配管溶接部を安定して保持することができ、確実に溶接することができ、金属配管の溶接信頼性を高めることができる。
【００４３】
また、上記実施の形態とは異なる別の実施の形態を図５から図８を用いて説明する。なお、金属配管のフランジ部以外については、上述と同様であり、異なる部分のみ説明する。
【００４４】
図５において、金属配管２００、２０２の端部はそれぞれ面接触するためのフランジ部２０５、２０６を全周にわたって有している。フランジ部２０５、２０６は、折り返し部２０５ａ、２０６ａを備え、フランジ部２０５、２０６を２重構造とした点を特徴としている。
【００４５】
これにより、フランジ部２０５、２０６の強度を高めることができ、抵抗溶接の際の溶接機電極部が円筒配管の溶接部２０７をより確実に安定して保持することができる。
【００４６】
なお、２重構造のフランジ部２０５、２０６を予備加工として形成する際、一旦ビーディング加工してから、圧縮して形成することができる。
【００４７】
また、図６に示すように、一方の金属配管２００の端部を、折り返し部２０５ａを備えた２重構造のフランジ部２０５とし、他方の金属配管２０２の端部は折り返し部のない単層のフランジ部２０３とした組み合わせとして、溶接部２０８とすることもできる。
【００４８】
これにより、金属配管の特性を考慮した溶接部２０８を構成することができ、抵抗溶接における更なる信頼性向上を図ることができる。
【００４９】
なお、上記の単層のフランジ部と複層のフランジ部との組み合わせは、それぞれ金属配管の材質や肉厚による予備加工性を考慮して選定することができる。
【００５０】
また、図７に示すように、一方の金属配管２００の端部をフレア加工したフランジ部２０９とし、他方の金属配管２０２の端部をビーディング加工したフランジ部２１０とし、フレア加工したフランジ部２０９とビーディング加工したフランジ部２１０とを突き合わせて溶接部２１１とすることもできる。
【００５１】
これにより、フレア加工したフランジ部２０９とビーディング加工したフランジ部２１０とを突き合わせることで、それぞれの金属配管２００、２０２の溶接部２１１のズレ（金属配管２００と２０２との中心線のズレ）を防止できる。したがって、溶接部２１１の内面に生じる管壁面のズレを防止でき、内部を流れる冷媒、オイルの流れを阻害することなく、管内圧損を低減することができる。
【００５２】
また、図８に示すように、金属配管２００の端部をフレア加工したフランジ部２０９に加え、その途中に拡管部２１２を有し、他方の金属配管２０２のビーディング加工したフランジ部２１０の先端部に延出部２１３を備え、溶接時に金属配管２０２の延出部２１３を金属配管２００の拡管部２１２に挿入することもできる。
【００５３】
これにより、それぞれの金属配管２００、２０２の溶接部２１４のズレを確実に防止することができる。
【００５４】
以上のように、本実施の形態では、円筒状の銅配管である金属配管２００、２０２の端部はそれぞれ面接触するためのフランジ部２０１、２０３を全周にわたって有し、フランジ部２０１とフランジ部２０３を対向配置して抵抗溶接機３００を用いて溶接することに
より、従来のようにロウ付け作業者の熟練度に工程品質は左右されることなく、円筒配管を溶接することができるとともに、抵抗溶接の際の溶接機電極部が円筒配管溶接部を安定して保持することができるので、確実に溶接することができ、金属配管の溶接信頼性を高めることができる。
【００５５】
また、金属配管２００、２０２の端部のフランジ部２０１、２０３は、フレア加工等で予備加工を施したもので、フランジ部２０１、２０３の出代寸法Ｈは金属配管２００、２０２の肉厚より大きく設定しているので、抵抗溶接の際の溶接機電極部が円筒配管溶接部をより確実に安定して保持することができる。
【００５６】
また、金属配管２００、２０２の少なくとも一方のフランジ部は折り返し部を備え、フランジ部を２重構造としているので、フランジ部の強度を高めることができ、抵抗溶接の際の溶接機電極部が円筒配管溶接部をより確実に安定して保持することができる。
【００５７】
また、本実施の形態における抵抗溶接装置である抵抗溶接機３００は、溶接部となる金属配管２００、２０２のフランジ部２０１とフランジ部２０３を対向配置し、抵抗溶接機３００の電極Ａ３０４を備えたクランプ部３０２と、電極Ｂ３０５を備えたクランプ部３０３とで挟み込み、加圧しながら、電源３０１から電極Ａ３０４と電極Ｂ３０５との間に電流が供給されるものであり、従来のようにロウ付け作業者の熟練度に工程品質は左右されることなく、円筒配管を溶接することができるとともに、抵抗溶接の際の溶接機電極部が円筒配管溶接部を安定して保持することができ、確実に溶接することができ、金属配管の溶接信頼性を高めることができる。
【００５８】
また、さらに、抵抗溶接装置である抵抗溶接機３００は、製造工程で円筒状の金属配管のフランジ部どうしを抵抗溶接で溶接する際、抵抗溶接機３００の電極Ａ３０４を備えたクランプ部３０２は、支軸３０６を支点として回動可能な半円状に分割した可動部材３０７、３０８を備えているので、溶接工程作業をスムーズに行うことができるとともに、抵抗溶接の際の溶接機電極部が円筒配管溶接部をより確実に安定して保持することができる。
【００５９】
また、さらに、金属配管２００、２０２を可動部材３０７、３０８、および可動部材３１０、３１１の内面の中空部で挟み込みながら、クランプ部３０２とクランプ部３０３を近づける方向に加圧しながら、所定の電流を流し、金属配管を溶接することにより、金属配管の溶接信頼性を、より高めることができる。
【００６０】
なお、本実施の形態では、冷蔵庫の冷凍サイクルに用いられる冷却システムの金属配管について説明したが、これに限定されることなく、エアコンやショーケース等の冷凍装置を備えた冷却機器に用いられる金属配管の溶接に適用することができる。
【産業上の利用可能性】
【００６１】
以上のように、本発明にかかる抵抗溶接を用いて溶接した金属配管は、抵抗溶接の際の溶接機電極部が円筒配管溶接部を安定して保持することができ、確実に溶接することができるので、円筒配管どうしを溶接する必要がある機器に適用できる。
【符号の説明】
【００６２】
３０  冷蔵庫本体
３１  断熱箱体
３２  内箱
３３  外箱
３４  発泡断熱材
４０  冷蔵室
４１  製氷室
４２  野菜室
４３  冷凍室
４０ａ  冷蔵室扉
４１ａ  製氷室扉
４２ａ  野菜室扉
４３ａ  冷凍室扉
５０  凹部
５１  機械室
５２  圧縮機
５３  放熱ファン
５４  予冷凝縮器
５６  樹脂部品
５７  傾斜部
６２  機械室カバー
９０  ファンカバー
９１ａ  第１の区画
９１ｂ  吐出区画
９２ｂ  吸込区画
９３  シール部材
１００  凝縮器
１０１  蒸発器
１０２  蒸発皿
２００、２０２  金属配管
２０１、２０３、２０５、２０６、２０９、２１０  フランジ部
２０４、２０７、２０８、２１１、２１４  溶接部
２０５ａ、２０６ａ  折り返し部
２１２  拡管部
２１３  延出部
３００  抵抗溶接機
３０１  電源
３０２、３０３  クランプ部
３０４  電極Ａ
３０５  電極Ｂ
３０６、３０９  支軸
３０７、３０８、３１０、３１１  可動部材
【図１】
2015150591.tif 000003
【図２】
2015150591.tif 000004
【図３】
2015150591.tif 000005
【図４】
2015150591.tif 000006
【図５】
2015150591.tif 000007
【図６】
2015150591.tif 000008
【図７】
2015150591.tif 000009
【図８】
2015150591.tif 000010
【図９】
2015150591.tif 000011
【図１０】
2015150591.tif 000012